(57)【要約】【課題】本発明が解決しようとする課題は、できるだけ多くの電力取引希望者を電力取引に参加させることで世の中全体のエネルギー利用効率を高めるために、「切り売り」や「部分買い」を望む者でも望まない者でも、気軽に電力取引に参加できる電力取引所システムを提供することにある。【解決手段】注文者１２０が電力取引システムに対し注文データ１１２を入力できるようにする。また、注文者１２０が注文状況データ１２２を参照できるようにすることで、他の注文者の取引条件データを参照できるようにする。ここで、取引条件データとは取引成立のための条件であり、より具体的には、時間帯データ１１３や取引希望容量に関する譲歩条件である。本発明により、ある１つの売り注文または買い注文について、取引を部分的に成立させたり、逆に、部分的な成立を許さなかったりといった、注文者の事情にフレキシブルに対応した電力取引を実現できる。【選択図】  図１
2004240519.tif 000002
【特許請求の範囲】
【請求項１】
売り電力注文または買い電力注文の取引希望時間帯及び容量に関する情報が入力される情報入力手段と、
前記入力された売り電力注文または買い電力注文の取引希望時間帯及び容量に関する情報を記憶する記憶手段と、
前記売り電力注文または前記買い電力注文に関する一部分の取引を許容するかどうかの選択が入力される選択入力手段と、
前記選択入力手段により入力された選択を記憶する記憶手段とを備えることを特徴とする電力取引システム。
【請求項２】
請求項１において、前記一部分の取引が取引希望時間帯に関するものであることを特徴とする電力取引システム。
【請求項３】
請求項１において、前記一部分の取引が取引希望容量に関するものであることを特徴とする電力取引システム。
【請求項４】
請求項２において、前記一部分の取引に関する取引希望時間帯についての許容条件が入力される入力手段と、
前記入力手段により入力された時間帯についての許容条件を記憶する記憶手段とを備えることを特徴とする電力取引システム。
【請求項５】
請求項３において、前記一部分の取引に関する取引希望容量についての許容条件が入力される入力手段と、
前記入力手段により入力された取引希望容量についての許容条件を記憶する記憶手段とを備えることを特徴とする電力取引システム。
【請求項６】
売り電力注文または買い電力注文の取引希望時間帯及び容量に関する情報が入力される情報入力手段と、
前記入力された売り電力注文または買い電力注文の取引希望時間帯及び容量に関する情報を記憶する記憶手段と、
売り電力注文または買い電力注文に関する注文状況を参照するかどうかの選択が入力される選択入力手段と、
前記選択手段により注文状況を参照することが選択された場合に売り注文または買い注文に関する注文状況を表示する表示手段とを備えることを特徴とする電力取引システム。
【請求項７】
請求項６において、前記注文状況の表示に関する条件が入力される条件入力手段と、
前記条件入力手段に入力された表示に関する条件に基づいて注文状況を表示することを特徴とする電力取引システム。
【請求項８】
請求項１において、売り電力注文または買い電力注文に関する注文状況を参照するかどうかの選択が入力される選択入力手段と、
前記選択入力手段において注文状況を参照することが選択された場合に売り注文または買い注文に関する注文状況を表示する表示手段と、
前記選択入力手段において前記一部分の取引を許容することが選択された場合に前記一部分の取引についての許容条件が入力される入力手段と、
前記入力手段によって入力された許容条件を記憶する記憶手段と、
前記注文状況の表示に関する条件が入力される条件入力手段と、
前記条件入力手段により入力された条件を記憶する記憶手段とを備え、
前記表示手段は前記条件入力手段と前記許容条件に基づいて注文状況を表示することを特徴とする電力取引システム。
【請求項９】
請求項８において、前記表示手段は売り電力注文または買い電力注文に関する基本的な注文情報及び許容条件に関する注文情報とを同時に表示することを特徴とする電力取引システム。
【請求項１０】
コンピュータを、売り電力注文または買い電力注文の取引希望時間帯及び容量に関する情報が入力される情報入力手段と、
前記入力された売り電力注文または買い電力注文の取引希望時間帯及び容量に関する情報を記憶する記憶手段と、
前記売り電力注文または前記買い電力注文に関して一部分の取引を許容するかどうかの選択が入力される選択入力手段として機能させることを特徴とする電力取引プログラム。
【発明の詳細な説明】
【０００１】
【発明の属する技術分野】
本発明は、電力取引を取り扱う情報システムに関するものであり、特に、売り注文および買い注文の入力インタフェースに関する。
【０００２】
【従来の技術】
情報システムを用いた電力取引システムの従来技術としては、特開２００１−２４３３５８号公報（以下、特許文献１という）がある。この従来技術では、縦軸を時間（１時間毎２４点）、横軸を取引相手候補（第１〜第３候補）とした一覧表を表示する。この表示画面では、表示内容を選択する方法を提供しており、ユーザの選択により託送関連費用に関連する表示内容を変えることができる。
【０００３】
【特許文献１】
特開２００１−２４３３５８号
【０００４】
【発明が解決しようとする課題】
電力は、揚水発電所を利用する場合など一部の例外を除き、貯蔵することができない。したがって、電力取引において、異なる時間帯の電力は、異なる商品となる。たとえば、同じ１００万ｋＷｈの電気であっても、１時の１００万ｋＷｈと２時の１００万ｋＷｈでは異なる商品として取り扱う必要がある。しかし、その一方で、異なる時間帯の電力が互いに密接に関連することも事実である。以下、その一例を示す。ある発電会社は１００万ｋＷの発電機を所有していて、しかもその発電機はその設備特性の都合により、いちど起動したら少なくとも２４時間連続運転しなければならないとする。この発電会社がこの発電機を運転して電力を発生させ、その電力の購入者を探しているとする。そのとき、ある購入者候補が１日２４時間のうち、「０時〜５時と６時〜２４時の時間帯は１０００万
ｋＷ購入したいが、５時〜６時の時間帯だけは購入したくない」という意思表示をしたとする。このような場合、もし発電会社がこの意思表示を受け入れ、５時〜６時以外の時間帯の電力を販売したとすると、この発電会社は５時〜６時の購入者を別途探す必要がある。なぜなら、その発電会社が所有する発電機は２４時間連続運転を要するからである。以上述べた例のように、異なる時間帯の電力は互いに密接に関連する場合がある。
【０００５】
また、電力は貯蔵できないので、必要なときに必要な容量を発電しなければならない。ここで、発電機の物理的特性により、出力上限以上の容量を生成することができないのは当然であるが、出力下限以下の容量を生成することもできないことに注意を要する。たとえば、出力上限１０００万ｋＷ，出力下限３００万ｋＷの発電機を所有する発電会社があるとし、その発電会社がある時間帯に１０００万ｋＷの電力を売ろうとしているとする。このとき、ある別の会社が「１０００万ｋＷの電力のうち２００万ｋＷだけを買いたい」という意思表示をしたとする。このような場合、もし発電会社がこの意思表示を受け入れ２００万ｋＷだけを売ったとすると、この発電会社は出力下限３００万ｋＷへの未達分１００万ｋＷを買ってくれる会社を探す必要がある。なぜなら、その発電会社が所有する発電機は３００万ｋＷ以下の出力で運転することができないからである。以上述べた例のように、売りたい電力全体うちの一部分だけを売るのが困難な場合がある。
【０００６】
以上述べたように、発電機の物理的な制約のため、電力取引では、売りたい電力の一部分だけを売る、いわゆる「切り売り」が困難な場合がある。
【０００７】
逆に、電力を買う側についても、電力を売る側と同様の事情が考えられる。たとえば、ある購入希望者は、電力を使ってある設備を起動することを希望しているが、それを起動するには最低３００ｋＷ必要だとする。この場合、この購入希望者が、仮に２００ｋＷを調達できたとしても、残り１００ｋＷを何とかして調達しないことには、先に調達した２００ｋＷは意味をなさないばかりか、むしろムダになってしまう。このような事情を有する購入希望者は、２００ｋＷを先行して調達すること、すなわち「部分買い」を望まず、まとめて３００ｋＷ調達することを望む場合がある。
【０００８】
本発明が解決しようとする課題は、できるだけ多くの電力取引希望者を電力取引に参加させることで世の中全体のエネルギー利用効率を高めるために、「切り売り」や「部分買い」を望む者でも望まない者でも、気軽に電力取引に参加できる電力取引所システムを提供することにある。
【０００９】
【課題を解決するための手段】
本発明が提供する第１の解決手段は、電力取引所システムにおいて、注文者が自分自身の売り注文または買い注文について、その一部分のみに関する取引成立を許すかどうかを、その注文者が選択できるようにすることである。これにより、「切り売り」や「部分買い」を望まない注文者は、それを許さないという意思表示ができるので、このような注文者でも気軽に電力取引に参加することができる。
【００１０】
本発明が提供する第２の解決手段は、電力取引所システムにおいて、ある注文者が一部分のみに関する取引成立を許す場合、その注文者が一部分のみに関する取引成立を許す条件を入力できるようにすることである。これにより、注文者は一部分のみに関する取引成立を条件付きで許す、という立場をとることが可能になる。このような手段を提供することにより、電力取引への参加が促進される。
【００１１】
本発明が提供する第３の解決手段は、電力取引所システムにおいて、売り注文と買い注文の分布を表示する画面において、各注文が一部分のみに関する取引成立を許すかどうか、またそれを許す場合の条件は何かを参照することができるようにすることである。これにより、今から売り注文または買い注文を発行しようとしている者は、すでに発行されている他者の注文の条件がわかるので、自分自身の注文の条件付けが容易になる。その結果、より多くの者が電力取引に気軽に参加することができる。
【００１２】
【発明の実施の形態】
図１は、本発明の電力取引所システムの機能構成である。１１０は電力取引クライアント、１２０は注文者、１３０は電力取引サーバである。電力取引クライアント１１０は、注文入力部１１７を備え、注文者１２０は注文入力部１１７を介して注文を入力する。１１２は入力された注文データであり、取引希望時間帯データ１１３，容量データ１１４，価格データ１１５、及び、取引条件データ１１６を含んでいる。ここで、取引条件データ１１６は、「切り売り」や「部分買い」を許容するか否かの選択、及び、これを許容する場合の条件からなる。電力取引クライアント１１０は、データ送受信部１１１を備え、一方、電力取引サーバ１３０はデータ送受信部１３１を備え、データ送受信部１１１はデータ送受信部１３１に対し注文データ１１２を送信する。電力取引サーバ１３０は注文データベース１３２を備え、注文データ１１２を注文データベース１３２に格納する。注文データベース１３２は、すでに注文された売り電力注文及び買い電力注文に関する取引希望時間帯データ１３３，容量データ１３４，価格データ１３５、及び、取引条件データ１３６のデータ項目を含む。また、電力取引クライアント１１０は、注文状況表示部１２７を備え、注文者１２０は注文状況表示部１２７を介して注文状況を参照することができる。注文状況表示部１２７は、注文状況データ１２２を表示する。注文状況データ１２２は、多数の注文者からの注文データの集合体であり、時間帯データ１２３，容量データ１２４，価格データ１２５，取引条件データ１２６を含む。電力取引クライアント１１０は注文状況データ１２２を、注文データベース１３２から、データ送受信部１３１、及び、データ送受信部１１１経由で受け取る。注文状況表示部１２７は、取引条件データ１２６を含めて表示できるようにし、これにより注文者が着目した注文が「切り売り」や「部分買い」を許容するか否かや、これを許容する場合の条件を参照することができる。以上の機能構成により、電力取引において、注文者は「切り売り」や「部分買い」が可能となる。
【００１３】
図２は、本発明の電力取引所システムを実現するシステム構成図である。２１０は注文端末装置を、２２０は電力取引所装置を、２３０は通信網を表している。
注文端末装置２１０と電力取引所装置２２０の双方は、それぞれ通信処理装置２１５及び２２５を備え、通信処理装置２１５及び２２５は通信網２３０で互いにデータをやりとりすることができる。注文端末装置２１０は、データ入力装置２１１，データ記憶装置２１２，データ表示装置２１３及び計算処理装置２１４を備える。注文者は、データ入力装置２１１を介して、注文データを注文端末装置に入力することができる。入力された注文データはデータ記憶装置２１２に一旦記憶され、通信処理装置２１５及び通信網２３０経由で電力取引所装置に送られる。注文者は、データ表示装置２１３を介して、他の注文者からの注文データを含む注文データ群を参照することができる。データ表示装置２１３は、表示対象である注文データ群を、電力取引所装置２２０から通信処理装置２２５，通信網２３０、及び、通信処理装置２１５を介して取得する。計算処理装置２１４は、注文端末装置２１０が、データ入力，データ記憶、及びデータ表示を実行するにあたり、必要な計算処理を実行する。電力取引所装置２２０は、データ入力装置２２１，データ記憶装置２２２，データ表示装置２２３、及び計算処理装置２２４を備える。データ記憶装置２２２は、注文端末装置２１０から受け付けた注文データを記憶するとともに、注文端末装置２１０からの要求に応じ、データ記憶装置２２２は、記憶しているデータを通信処理装置２２５、及び通信網２３０を経由して注文端末装置２１０に送る。データ入力装置２２１とデータ表示装置２２３は、電力取引所装置２２０の運用保守のために使用され、計算処理装置２２４は、電力取引所装置が、データ入力，データ記憶、及び、データ表示を実行するにあたり、必要な計算処理を実行する。
【００１４】
図３は本発明の電力取引所システムを実現する処理フロー図である。ステップ３０１においては、注文者は、取引したい時間帯，容量、及び、価格のデータを入力する。たとえば、取引の種類は「売り」、取引したい時間帯は７時〜１８時まで、取引したい容量は１００００ｋＷ、取引希望価格は２０円／ｋＷｈといった具合である。つぎに、ステップ３０２においては、注文者は、一部分のみの取引成立を許すかどうかの選択を入力する。ここで、一部分のみの取引とは、取引したい時間帯である７時〜１８時の中のある一部分の時間帯のみに関する取引や、取引したい容量である１００００ｋＷのうちのある一部分の容量のみに関する取引を指す。注文者が一部分のみの取引を許す場合、ステップ３０４にすすみ、注文者は、一部分のみの取引成立を許す場合の条件を入力する。たとえば、７時〜１８時のうち９時〜１５時のみの取引に応じるとか、１００００ｋＷのうち３０００ｋＷの取引に応じるといった具合である。ステップ３０４のあと、ステップ３０５にすすむ。なお、注文者が、一部分のみの取引成立を許さない場合には、ステップ３０３から、直接、ステップ３０５にすすむ。ステップ３０５においては、電力取引所は、注文者が入力した情報を記憶する。これにより、どの注文者がどんな注文を出しているかが一元管理される。ステップ３０６においては、電力取引所は、記憶した情報に基づき、売りと買いの取引を成立させる。取引成立の方法としては、先着優先，大量注文優先などが考えられる。ステップ３０６は、情報システムを用いて自動で実行しても良いが、注文件数が少ない場合などは手動で実行しても良い。
【００１５】
図４において、４０１は、電力取引システムの取引参加者画面であり、注文者が使用する注文端末装置２１０の表示画面例である。取引参加者画面４０１は、売り注文入力ボタン４０２，買い注文入力ボタン４０３、及び、注文状況表示４０４を備える。売り注文を入力したい注文者は４０２をクリックし、買い注文を入力したい注文者は４０３をクリックし、他の注文者の注文を含む注文状況を参照したい注文者は４０４をクリックする。これにより、注文者は、売り注文や買い注文を入力したり、他の注文者の注文を含む注文状況を参照したりすることができる。
【００１６】
注文者が、売り注文入力ボタン４０２をクリックすると、売り注文入力画面が表示される。図５の５０１は、売り注文入力画面の例である。売り注文入力画面５０１は、日付，時間帯，容量、及び、価格を指定できる。入力フィールド５０２，５０３、及び、５０４は、それぞれ、指定する日付の年，月，日を入力するためのものである。図５の例では、電力取引の指定日付を、２００１年１１月１３日としている。入力フィールド５０５及び５０６は、指定する時間帯の開始時刻と終了時刻をそれぞれ入力するためのものである。図５の例では、電力取引の指定時間帯を７時〜１８時としている。入力フィールド５０７は、指定する容量を入力するためのものである。図５の例では、電力取引の指定容量を１００００ｋＷとしている。入力フィールド５０８は、指定する価格を入力するためのものである。図５の例では、２０円／ｋＷｈとしている。これらに加え、売り注文入力画面５０１は、一部分のみに関する取引成立を許容するかの意思を入力するためのボタン５０９及び５１０を備える。注文者は、これを許容するなら５０９を、許容しないなら５１０をクリックする。これにより、注文者は、電力取引所において、「切り売り」や「部分買い」を許容するかどうかの意思を表明することができる。以上は、売り注文入力画面５０１に関する例であるが、買い注文についても同様である。
【００１７】
売り注文入力画面５０１において、注文者が５０９のボタンをクリックし、一部分のみに関する取引成立を許容した場合、図６の画面が表示される。図６において、６０１は、売り注文に関する一部分取引条件入力画面である。図６において、６０２は、注文者が前の画面５０１において、どの時間帯での取引を希望したかを表示している。この例では、その時間帯は７時〜１８時である。６０３と６０４は、時間帯について、一部分の取引を許すかどうかを選択するラジオボタンである。図６の例で、注文者があくまでも７時〜１８時の時間帯での取引を希望しており、時間帯について譲歩したくない場合、注文者は６０３をクリックする。逆に、注文者が、時間帯について譲歩してもよいと考える場合、注文者は６０４をクリックする。図６の例では、注文者は６０４をクリックしているので、時間帯について譲歩してもよいことを表している。また、６０４をクリックした場合、注文者は、時間帯についてどこまで譲歩してもよいかを入力フィールド６０５及び６０６に入力する。図６の例では、これら入力フィールドの値が９時〜１５時となっているが、これは９時〜１５時は必ず売りたいが、それ以外の時間帯については取引成立しなくてもよいという意思を表している。つまり、９時〜１５時の時間帯さえ含めば、７時〜１８時の時間帯のなかで、たとえば９時〜１７時，８時〜１５時，７時〜１６時など、どんな時間帯でも取引に応じるという意思表示である。図６において、６０７は、注文者が前の画面５０１において、どれだけの容量の取引を希望したかを表示している。この例では、その容量は１００００ｋＷである。６０８と６０９は、容量について、一部分の取引を許すかどうかを選択するラジオボタンである。図６の例で、注文者があくまでも１００００ｋＷの容量での取引を希望しており、容量について譲歩したくない場合、注文者は６０８をクリックする。逆に、注文者が、容量について譲歩してもよいと考える場合、注文者は６０９をクリックする。図６の例では、注文者は６０９をクリックしているので、容量について譲歩してもよいことを表している。６０９をクリックした場合、注文者は、容量についてどこまで譲歩してもよいかを入力フィールド６１０に入力する。図６の例では、この入力フィールドの値が３０００ｋＷとなっているが、これは取引成立を認める最小取引の容量が３０００ｋＷであるという意思を表している。つまり、３０００ｋＷ以上でありさえすれば、１００００ｋＷ以下の容量、たとえば４０００ｋＷ，６０００ｋＷ，９０００ｋＷなど、どんな容量でも取引に応じるという意思表示である。図６の画面により、注文者は、一部分のみの取引成立を許す場合、その取引成立条件を入力することができる。
【００１８】
また、図６には示していないが、注文者は部分的な取引の場合には、別途販売格を設定可能としてもよい。例えば、図５に示す基本条件で取引する場合には２０円／ｋＷｈで販売するが、図６の条件による部分的な取引の場合には、２５円／ｋＷｈで販売するように設定可能な構成としてもよい。
【００１９】
図７は、注文状況表示画面の例である。注文状況表示画面７０１は、図４において、注文状況表示ボタン４０４をクリックした場合に表示される。注文状況表示画面７０１において、入力フィールド７０２及び７０３は参照したい時間帯の条件を指定するためのものであり、入力フィールド７０４及び７０５は参照したい容量の条件を指定するためのものである。７０６は、指定された時間帯の条件と容量の条件に当てはまる注文状況表示部分である。７０７〜７１４の各○印は、それぞれが１つの注文に対応している。図７の例では、参照したい時間帯の条件が７時〜１６時、容量の条件が２０００ｋＷ〜７０００ｋＷなので、「切り売り」や「部分買い」を含め、この時間帯にこの容量の取引成立を許している注文はすべて表示される。図７の例では、この条件に該当する売り注文は７０７〜７０９の４件、買い注文は７１１〜７１４の４件である。たとえば、図６の例に示した注文の条件は、図７の指定条件を満たすので、この注文は図７の７０６に表示される。なお、図５の５０８に示したように、この注文の価格指定が２０円／ｋＷｈであることから、じつは図７の７０７がこの注文に該当する。このような画面を表示することで、注文者は、他の注文者の注文を含む注文状況を把握することができる。
【００２０】
図８の８０１は、個別の注文の詳細表示画面であり、この例は、注文者が図７の７０６の部分において○をクリックしたとき、その○に対応する注文の詳細内容を表示したものである。ここで詳細内容とは、「切り売り」や「部分買い」に関する譲歩条件の意味である。図８の例は、注文者が図５に示す条件を提示している一方、図６の条件まで譲歩可能としている注文の内容を表示している。つまり、図８の８０２が図５の条件（７時〜１８時，１００００ｋＷ）を表し、８０３が図６の条件（９時〜１５時，３０００ｋＷ）を表している。なお、図８の８０２および８０３の長方形は、高さが容量（ｋＷ）を表していることを付け加える。
【００２１】
本実施例によれば、一画面に同時に基本的な注文情報と「切り売り」や「部分買い」に関する譲歩条件が表示されるので、注文者は現時点での注文情報を詳細に把握して注文条件を決定することができる。
【００２２】
【発明の効果】
本発明によれば、電力取引における特有の課題である「切り売り」や「部分買い」をフレキシブルに扱えるので、「切り売り」や「部分買い」を望む者も望まない者も気軽に電力取引に参加でき、その結果、世の中全体のエネルギー利用効率を高めることができる。
【図面の簡単な説明】
【図１】本発明の実施例の機能構成図である。
【図２】本発明の実施例システム構成図である。
【図３】本発明の実施例の処理フロー図である。
【図４】本発明の実施例のメイン画面の例である。
【図５】本発明の実施例の売り注文入力画面の例である。
【図６】一部分のみの取引成立を許す場合の取引成立条件入力画面の例である。
【図７】注文状況表示画面の例である。
【図８】個別の注文の詳細条件を表示する画面の例である。
【符号の説明】
１１０…電力取引クライアント、１１１，１３１…データ送受信部、１１２…注文データ、１１３，１２３，１３３…時間帯データ、１１４，１２４，１３４…容量データ、１１５，１２５，１３５…価格データ、１１６，１２６，１３６…取引条件データ、１１７…注文入力部、１２０…注文者、１２２…注文状況データ、１２７…注文状況表示部、１３０…電力取引サーバ、１３２…注文データベース。
【図１】
2004240519.tif 000003
【図２】
2004240519.tif 000004
【図３】
2004240519.tif 000005
【図４】
2004240519.tif 000006
【図５】
2004240519.tif 000007
【図６】
2004240519.tif 000008
【図７】
2004240519.tif 000009
【図８】
2004240519.tif 000010